(57)【要約】【課題】第２入力部に関係する変更に際し、第１入力部に含まれる筐体を変更させないで済む複合操作型入力装置の提供。【解決手段】操作部材４と、この操作部材４の摺動操作により固定接点上を摺動する摺動子５を有する第１入力部１と、駆動部材７の押圧操作により固定接点に導通する第１，第２可動接点２ａ，２ｂを有する第２入力部２とを備えるとともに、第１入力部１と第２入力部２を分離可能に重ねて配置し、第１入力部１は、摺動子５が収納される収納部３ａを有する筐体３を含み、この筐体３に、第２入力部２の駆動部材７を移動可能に案内する案内手段、例えば筐体３に一体に設けられ、駆動部材７を挿通させる貫通孔３ｂ１を有する筒状部３ｂを設けた構成にしてある。【選択図】図６
2008159308.tif 000002
【特許請求の範囲】
【請求項１】
操作部材と、この操作部材の摺動操作により固定接点上を摺動する摺動子を有する第１入力部と、駆動部材の押圧操作により固定接点に導通する可動接点を有する第２入力部とを備えるとともに、
上記第１入力部と上記第２入力部を分離可能に重ねて配置し、
上記第１入力部は、上記摺動子が収納される収納部を有する筐体を含み、この筐体に、上記第２入力部の上記駆動部材を移動可能に案内する案内手段を設けたことを特徴とする複合操作型入力装置。
【請求項２】
上記請求項１記載の発明において、
上記案内手段が、上記筐体に一体に設けられ、上記駆動部材を挿通させる筒状部から成ることを特徴とする複合操作型入力装置。
【請求項３】
上記請求項１または２記載の発明において、
上記筐体の上記収納部を覆うとともに、上記駆動部材が挿通される貫通穴を有するカバー部材を備え、このカバー部材が、上記第２入力部に向かって延設される脚部を有し、
上記第１入力部の上記摺動子が摺接する上記筐体に設けられる固定接点に接続され、上記筐体の外部に導出される端子部材を備え、
この端子部材と上記脚部とによって囲まれる空間部を、上記第２入力部の配置空間に設定したことを特徴とする複合操作型入力装置。
【請求項４】
上記請求項３記載の発明において、
上記筐体の外形形状を平面視が略四角形の形状に形成し、
上記操作部材を、上記筐体の上記収納部内に配置させ、
上記筐体の４つの側面のうちの１つの側面に、上記操作部材に形成された操作レバーの移動を可能にさせる開口部を設け、
上記筐体の４つの側面のうちの他の３つの側面のそれぞれに、上記脚部及び上記端子部材の少なくとも１つを配置させたことを特徴とする複合操作型入力装置。
【請求項５】
上記請求項２記載の発明において、
上記筐体の上記筒状部の内壁に、この筒状部に挿入された上記駆動部材の抜け止め部を設けたことを特徴とする複合操作型入力装置。
【請求項６】
上記請求項３記載の発明において、
上記カバー部材に、上記筐体の上記筒状部に挿入された上記駆動部材の抜け止め部を設けたことを特徴とする複合操作型入力装置。
【発明の詳細な説明】
【技術分野】
【０００１】
本発明は、摺動操作を行なう第１入力部と押圧操作を行なう第２入力部とを有する複合操作型入力装置に係り、デジタルカメラや携帯電話等のカメラ付き電子機器等に好適な複合操作型入力装置に関する。
【背景技術】
【０００２】
この種の従来技術として特許文献１に示されるものがある。この従来技術は、ハウジングすなわち筐体の下面側に摺動操作を行なう第１入力部の固定接点を設け、筐体の上面側に押圧操作を行なう第２入力部の固定接点を設けた構成にしてある。また、第１入力部は、スライド操作部に取り付けた摺動子を含み、第２入力部は、ドーム状の可動接点を含んでいる。なお、スライド操作部を介して入力を行なう第１入力部は、ドーム状可動接点が収納される第２入力部に含まれる収納部の側部に一体的に設けた構成になっている。
【０００３】
この従来技術は、スライド操作部によって摺動子を摺動させることにより第１入力部の入力を行なうことができ、また、押圧操作によるドーム状可動接点の反転動作によって第２入力部の入力を行なうことができるようになっている。
【特許文献１】特開２００４−３６２８１３公報
【発明の開示】
【発明が解決しようとする課題】
【０００４】
上述した従来技術は、１つの筐体に第１入力部の構成要素である固定接点と、第２入力部の構成要素である固定接点とが設けられていることによって、第２入力部に関係する問題点があった。
【０００５】
すなわち例えば、第２入力部のドーム状の可動接点に対する押圧操作時の荷重や、この押圧操作時のストロークを変えたいときとか、第２入力部に備えられる２つのドーム状可動接点を１つのドーム状可動接点に変えたいときとか、第２入力部を長寿命品に変更したいときとか、ドーム状の可動接点の押圧操作時の反転感触、つまり操作フィーリングを変更したいときなどにあっては、第１入力部にも関連して設けられている筐体の変更とか、ドーム状可動接点の変更とか、このドーム状可動接点が摺接する固定接点の変更が必要になる。特に、筐体を変更するためには、筐体を製作する金型の変更が必要になり、大掛かりで時間がかかるものとなってしまう。すなわち従来技術は、第２入力部の関係だけを変更したいときでも、第１入力部の関係する筐体の変更が必要になり、汎用性の点で十分なものとは言えなかった。
【０００６】
なお、上述したように従来技術は、第２入力部に含まれる収納部の側部に第１入力部が一体的に配置されていることから、投影面積が大きくなり、これに伴って装置の小型化に制約を受けやすかった。
【０００７】
本発明は、前述した従来技術における実状からなされたもので、その目的は、第２入力部に関係する変更に際し、第１入力部に含まれる筐体を変更させないで済む複合操作型入力装置を提供することにある。
【課題を解決するための手段】
【０００８】
この目的を達成するために、本発明は、操作部材と、この操作部材の摺動操作により固定接点上を摺動する摺動子を有する第１入力部と、駆動部材の押圧操作により固定接点に導通する可動接点を有する第２入力部とを備えるとともに、上記第１入力部と上記第２入力部を分離可能に重ねて配置し、上記第１入力部は、上記摺動子が収納される収納部を有する筐体を含み、この筐体に、上記第２入力部の上記駆動部材を移動可能に案内する案内手段を設けたことを特徴としている。
【０００９】
このように構成した本発明は、筐体の収納部に収納させた摺動子の摺動によって第１入力部の入力操作を行なうことができ、第１入力部に含まれる筐体の案内手段の案内によって駆動部材を移動させることにより、第２入力部に含まれる可動接点を介してこの第２入力部の入力操作を行なうことができる。
【００１０】
本発明は、第１入力部と第２入力部を分離可能に配置してあることから、第２入力部に関係する何らかの変更が考えられるときには、あらかじめ複数の第２入力部を用意しておけばよい。すなわち、第２入力部のドーム状の可動接点の押圧操作時の荷重の変更、第２入力部に備えられる可動接点の数の変更、第２入力部の長寿命化への変更、第２入力部に備えられる駆動部材の操作フィーリングの変更については、複数用意した第２入力部のうちの好適なものに変更して配置すればよい。また、押圧操作時のストロークの変更に際しては、変更する第２入力部の厚さ寸法を考慮したり、第１入力部と第２入力部とを重ねて配置する際の両者間の配置間隔などを考慮すればよく、対応が容易に可能である。
【００１１】
したがって、第２入力部を変更する際でも、第１入力部は既存のものを設けておくことができ、第１入力部に含まれる筐体の形状を変更させないで済む。これに伴って、第１入力部に含まれる筐体を変更させるための金型の変更を要することがなく、第２入力部の変更を簡単に行なうことができる。
【００１２】
なお、第１入力部と第２入力部とを重ねて配置するようにしたことから、投影面積を小さくすることができる。
【００１３】
また、本発明は上記発明において、上記案内手段が、上記筐体に一体に設けられ、上記駆動部材を挿通させる筒状部から成ることを特徴としている。このように構成した本発明は、第１入力部に含まれる筐体の製作時に、同時に筒状部を設けることができ、この筒状部の製作が容易であるとともに、部品数の増加を抑えることができる。
【００１４】
また、本発明は上記発明において、上記筐体の上記収納部を覆うとともに、上記駆動部材が挿通される貫通穴を有するカバー部材を備え、このカバー部材が、上記第２入力部に向かって延設される脚部を有し、上記第１入力部の上記摺動子が摺接する上記筐体に設けられる固定接点に接続され、上記筐体の外部に導出される端子部材を備え、この端子部材と上記脚部とによって囲まれる空間部を、上記第２入力部の配置空間に設定したことを特徴としている。このように構成した本発明は、端子部材と脚部とによって第２入力部の配置空間を形成できる。
【００１５】
また、本発明は上記発明において、上記筐体の外形形状を平面視が略四角形の形状に形成し、上記操作部材を、上記筐体の上記収納部内に配置させ、上記筐体の４つの側面のうちの１つの側面に、上記操作部材に形成された操作レバーの移動を可能にさせる開口部を設け、上記筐体の４つの側面のうちの他の３つの側面のそれぞれに、上記脚部及び上記端子部材の少なくとも１つを配置させたことを特徴としている。このように構成した本発明は、端子部材が半田付けされる基板に、脚部が当接するようにこの脚部を延設させることにより、操作部材の操作レバーの操作時に、第１入力部の筐体に与えられる力を、第１入力部の３つの側面に配置された端子部材、あるいは脚部で受けさせることができ、すなわち筐体の３方向で受けることができ、強固な安定した構造とすることができる。
【００１６】
また、本発明は上記発明において、上記筐体の上記筒状部の内壁に、この筒状部に挿入された上記駆動部材の抜け止め部を設けたことを特徴としている。このように構成した本発明は、筐体の製作時に、筒状部の内壁に筐体からの駆動部材の抜け止め部を同時に形成させることができ、この抜け止め部の形成が容易である。
【００１７】
また、本発明は上記発明において、上記カバー部材に、上記筐体の上記筒状部に挿入された上記駆動部材の抜け止め部を設けたことを特徴としている。このように構成した本発明は、カバー部材の製作時に、カバー部材からの駆動部材の抜け止め部を同時に形成させることができ、この抜け止め部の形成が容易である。
【発明の効果】
【００１８】
本発明は、第１入力部と上記第２入力部を分離可能に重ねて配置し、第１入力部は、摺動子が収納される収納部を有する筐体を含み、この筐体に、第２入力部の駆動部材を移動可能に案内する案内手段を設けた構成にしてあることから、第２入力部に関連する変更に際し、第１入力部に含まれる筐体を変更しないで済み、すなわち、第２入力部に関連する変更に際し、複数容易された第２入力部のうちの好適な第２入力部を、既存の第１入力部に組み合わせて設ければよい。したがって、第１入力部に含まれる筐体の金型の変更を要することがなく、この第２入力部の変更を容易に行なうことができるとともに、優れた汎用性を確保できる。
【発明を実施するための最良の形態】
【００１９】
以下，本発明に係る複合操作型入力装置を実施するための最良の形態を図に基づいて説明する。
【００２０】
［本実施形態の構成］
図１は本発明に係る複合操作型入力装置の一実施形態を示す分解斜視図である。図２は本実施形態の平面図、図３は図２のＡ方向から見た図、図４は図２のＢ方向から見た図、図５は図２のＣ方向から見た図、図６は図２のＤ−Ｄ断面拡大図である。図７は本実施形態に備えられる第１入力部と第２入力部とを分離させた状態を示す図である。
【００２１】
本実施形態に係る複合操作型入力装置は、図６，７に示すように、第１入力部１と第２入力部２とを分離可能に重ねて配置した構成にしてある。
【００２２】
第１入力部１は、図１に示すように、筐体３と、この筐体３内に収納される摺動子５と、この摺動子５が取り付けられる操作部材４と、この操作部材４を初期位置に復帰させるトーションばね６とを含んでいる。
【００２３】
筐体３は、平面視が略四角形の形状に形成され、摺動子５及び操作部材４が収納される収納部３ａと、この収納部３ａの中央位置に配置され、第２入力部２の駆動部材７を移動可能に案内する案内部材、例えば筐体３に一体に設けられ、駆動部材７を挿通させる貫通孔３ｂ１を有する円筒形の筒状部３ｂとを備えている。収納部３ａの底部には、摺動子５が摺接する固定接点３ｃを形成してある。また、この固定接点３ｃに接続され、筐体３の外部に導出される端子部材３ｄを設けてある。
【００２４】
筐体３の側面には係合突起３ｅを形成してある。また、この筐体３に係止部３ｆを設けてある。さらに、この筐体３の筒状部３ｂの内壁には、図６に示すように、駆動部材７の抜け止め部３ｇを形成してある。また、この筐体３の収納部３ａには、操作部材４が摺接する段差部３ｈを形成してある。また、この筐体３の側面のうちの１つの側面に、操作部材４に形成された操作レバー４ａの移動を可能にさせる開口部３ｉを設けてある。
【００２５】
上述した操作部材４の中央部には、筐体３の筒状部３ｂが挿通される挿通孔４ｂを形成してある。また、図１に示すように、この操作部材４の操作レバー４ａにも係止部４ｃを形成してある。上述したトーションばね６は、操作部材４に収納されるとともに、筐体３の筒状部３ｂに係着される。このトーションばね６の一端６ａは、筐体３の係止部３ｆに係止され、他端６ｂは、操作部材４の係止部４ｃに係止される。
【００２６】
第２入力部２に含まれる駆動部材７は、棒状部材から成り、上下端付近に小径部７ａを有し、中央部分に大径部７ｂを有している。
【００２７】
さらに、本実施形態は図１に示すように、筐体３の収納部３ａ及び操作部材４を覆うとともに、駆動部材７が挿通される貫通穴８ｃを有するカバー部材８を備えている。このカバー部材８は、同図１及び図３等に示すように、第２入力部２に向かって延設され、筐体３に形成された係合突起３ｅに係合する係合穴８ａ１を有する第１脚部８ａと、図２，４に示すように、この第１脚部８ａが形成された側面とは異なる側面に形成された第２脚部８ｂとを有する。また、このカバー部材８は、図１，６，７等に示すように、駆動部材７の小径部７ａが挿通される貫通穴８ｃの周辺に設けられ、筐体３の筒状部３ｂに挿入された駆動部材７の大径部７ｂに係合可能な抜け止め部８ｄを備えている。この抜け止め部８ｄによって駆動部材７のカバー部材８からの抜け止めが防止される。
【００２８】
上述した筐体３の筒状部３ｂの内壁に形成した抜け止め部３ｇも、図６に示すように、駆動部材７の大径部７ｂが係合することによって、この駆動部材７の筐体３からの抜け止めが防止される。
【００２９】
また、図６に示すように、操作部材４は、図示下側部分が筐体３ｅの段差部３ｈに当接し、図示上側部分がカバー部材８によって図示上方向の移動が規制されている。
【００３０】
図３〜５，６等に示すように、筐体３の固定接点３ｃに接続させた端子部材３ｄと、カバー部材８の第１脚部８ａ及び第２脚部８ｂとによって囲まれた空間部９を、第２入力部２の配置空間に設定してある。
【００３１】
操作部材４の操作レバー４ａを、筐体３の４つの側面のうちの１つの側面に形成した開口部３ｉから突出させるように設けてあるが、筐体３の４つの側面のうちの他の３つの側面のそれぞれに、カバー部材８の第１脚部８ａ、第２脚部８ｂ、及び端子部材３ｄの少なくとも１つを配置させてある。例えば、図２，３に示すように、筐体３の他の３つの側面のうちの、操作部材４の操作レバー４ａが配置される側面と対向する側面にカバー部材８の第１脚部８ａを配置してあり、操作部材４の操作レバー４ａが配置される側面と直交する両側面のうちの一方の側面に、図２，３に示すように、２つの端子部材３ｄとカバー部材８の第２脚部８ｂを配置してあり、他方の側面に図２，５に示すように、３つの端子部材３ｄを配置してある。
【００３２】
カバー部材８の第１脚部８ａ及び第２脚部８ｂの長さ寸法は、第１入力部１と第２入力部２とを重ねて図示しない基板上に配置した状態で、図示しない基板に当接可能な長さ寸法となっている。筐体３の固定接点３ｃに接続される各端子部材３ｄは、上述した図示しない基板に半田付けされるようになっている。
【００３３】
なお、第２入力部２には、図６に示すように、駆動部材７の押圧操作によってそれぞれ反転可能なドーム状金属製の第１可動接点２ａと、第２可動接点２ｂとを収納させてある。また、この第２入力部２は、同図６の上側に配置される第２可動接点２ｂの表面を覆うように配置されるシート２ｃを備えている。図示省略するが、この第２入力部２の内部には、第１可動接点２ａが導通、あるいは導通可能な固定接点、及び第２可動接点２ｂが導通する固定接点が備えられている。このような構成を有する第２入力部２は、この第２入力部２に関連する変更、例えば第２入力部２のドーム状の第１可動接点２ａ、第２可動接点２ｂの押圧操作時の荷重の変更、駆動部材７のストロークの変更、第２入力部２に備えられる第１可動接点２ａ、第２可動接点２ｂの数の変更、第２入力部の長寿命化への変更、第２入力部２に備えられる駆動部材７の操作フィーリングの変更等を考慮して、例えばあらかじめ複数の異なる第２入力部２が用意されている。
【００３４】
［本実施形態の動作］
上述した本実施形態が、例えばデジタルカメラ等に適用された場合について、本実施形態の動作を以下に説明する。
【００３５】
操作部材４の操作レバー４ａをトーションばね６の付勢力に抗して回動させると、この操作部材４に取り付けられた摺動子５が筐体３の収納部３ａに設けられた固定接点３ｃ上を摺動し、これによってオン信号が出力されてデジタルカメラ等のズーミングが行なわれる。
【００３６】
また、駆動部材７を押圧し、一定量押し込むと、第２入力部２の第２可動接点２ｂが反転し、この第２可動接点２ｂが第１可動接点２ａに導通する。これによってオン信号が出力され、例えばデジタルカメラ等の焦点合わせが行なわれる。
【００３７】
この状態から、駆動部材７をさらに押圧し、押し込むと、第２入力部２の第２可動接点２ｂを介して第１可動接点２ａが反転し、この第１可動接点２ａが図示しない固定接点に導通する。これによってオン信号が出力され、例えばデジタルカメラ等のシャッター操作が行なわれる。
【００３８】
なお、駆動部材７に加えていた押圧力を解くと、第１可動接点２ａ、第２可動接点２ｂのそれぞれ自身が保有する弾性力により、これらの第１可動接点２ａ及び第２可動接点２ｂが初期形態、すなわち図６に示す形態に復帰し、第２入力装置２の信号がオフとなるとともに、これらの第１可動接点２ａ及び第２可動接点２ｂの復帰に伴って駆動部材７が押し戻されて、初期位置に復帰する。また、操作部材４の操作レバー４ａに加えていた操作力を解くと、トーションばね６の付勢力により操作部材４及び摺動子５が初期位置に復帰し、第１入力装置１の信号がオフとなる。
【００３９】
このように、操作部材４の操作レバー４ａの摺動操作によって、デジタルカメラ等のズーミング操作を行なうことができ、駆動部材７の押圧操作によって、デジタルカメラ等の焦点合わせ操作、及びシャッター操作を実施できる。
【００４０】
［本実施形態の効果］
このように構成した本実施形態によれば、上述したように、筐体３の収納部３ａに収納させた摺動子５の摺動によって第１入力部１の入力操作を行なうことができ、第１入力部１に含まれる筐体３の筒状部３ｂの案内によって駆動部材７を移動させることにより、第２入力部２に含まれる第１可動接点２ａ、第２可動接点２ｂの反転による入力操作を行なうことができる。すなわち、複数の入力操作を行なうことができる。
【００４１】
また、第１入力部１と第２入力部２とを分離可能に配置してあることから、第２入力部２に関係する何らかの変更を要するときには、あらかじめ用意された複数の第２入力部２のうちの好適なものに交換すればよい。すなわち、第２入力部２のドーム状の第１可動接点２ａ、第２可動接点２ｂの押圧操作時の荷重の変更、第２入力部２に備えられる可動接点の数の変更、第２入力部２の長寿命化への変更、第２入力部２に備えられる駆動部材７の操作フィーリングの変更については、複数用意した第２入力部２のうちの好適なものに変更して配置すればよい。また、押圧操作時の駆動部材７のストロークの変更に際しては、変更する第２入力部２の厚さ寸法を考慮したり、第１入力部１と第２入力部２とを重ねて配置する際の両者間の配置間隔などを考慮すればよく、対応が容易に可能である。
【００４２】
したがって、第２入力部２を変更する際でも、第１入力部１は既存のものを設けておくことができ、第１入力部１に含まれる筐体３の形状を変更させないで済む。これに伴って、筐体３を変更させるための金型の変更を要することがなく、第２入力部２の変更を簡単に行なうことができる。なお、第１入力部１と第２入力部２とを重ねて配置するようにしたことから、投影面積を小さくすることができ、装置の小型化を実現できる。
【００４３】
また、第２入力部２に含まれる駆動部材７を案内する案内手段を筐体３に一体に設けられる筒状部３ｂによって構成したとこから、この筒状部３ｂを筐体３の製作時に、同時に設けることができ、この筒状部３ｂの製作が容易であるとともに、部品数の増加を抑えることができる。
【００４４】
また、カバー部材８に形成した第１脚部８ａ、第２脚部８ｂと、端子部材３ｄとによって、第２入力部２の配置空間を形成でき、第１入力部１と第２入力部２との組み込みが容易である。
【００４５】
また、筐体３の４つの側面のうちの１つの側面に、開口部３ｉを設けて、操作部材４の操作レバー４ａをこの開口部３ｉから突出させ、筐体３の４つの側面のうちの他の３つの側面のそれぞれに、第１脚部８ａ、第２脚部８ｂ、及び端子部材３ｄの少なくとも１つを配置させたことから、操作レバー４ａの操作時に、第１入力部１の筐体３に与えられる力を、第１入力部１の３つの側面に配置された端子部材３ｄ、あるいは第１脚部８ａ及び第２脚部８ｂで受けさせることができ、すなわち筐体３の３方向で受けることができる。これによって、強固な安定した構造とすることができ、信頼性の高い装置が得られる。
【００４６】
また、筐体３の筒状部３ｂの内壁に、駆動部材７の抜け止め部３ｇを設けたことから、この抜け止め部３ｇを筐体３の製作時に、同時に形成することができ、この抜け止め部３ｇの形成が容易である。
【００４７】
また、カバー部材８に、駆動部材７の抜け止め部８ｄを設けたことから、この抜け止め部８ｄをカバー部材８の製作時に、同時に形成させることができ、この抜け止め部８ｄの形成が容易である。
【図面の簡単な説明】
【００４８】
【図１】本発明に係る複合操作型入力装置の一実施形態を示す分解斜視図である。
【図２】本実施形態の平面図である。
【図３】図２のＡ方向から見た図である。
【図４】図２のＢ方向から見た図である。
【図５】図２のＣ方向から見た図である。
【図６】図２のＤ−Ｄ断面拡大図である。
【図７】本実施形態に備えられる第１入力部と第２入力部とを分離させた状態を示す図である。
【符号の説明】
【００４９】
１    第１入力部
２    第２入力部
２ａ  第１可動接点
２ｂ  第２可動接点
３    筐体
３ａ  収納部
３ｂ  筒状部（案内手段）
３ｃ  固定接点
３ｄ  端子部材
３ｇ  抜け止め部
４    操作部材
４ａ  操作レバー
５    摺動子
７    駆動部材
７ａ  小径部
７ｂ  大径部
８    カバー部材
８ａ  第１脚部
８ｂ  第２脚部
８ｄ  抜け止め部
９    空間部
【図１】
2008159308.tif 000003
【図２】
2008159308.tif 000004
【図３】
2008159308.tif 000005
【図４】
2008159308.tif 000006
【図５】
2008159308.tif 000007
【図６】
2008159308.tif 000008
【図７】
2008159308.tif 000009